【手続補正書】
【提出日】平成27年7月9日(2015.7.9)
【手続補正１】
【補正対象書類名】特許請求の範囲
【補正対象項目名】全文
【補正方法】変更
【補正の内容】
【特許請求の範囲】
【請求項１】
オーディオ信号処理の方法であって、
前記オーディオ信号の第１のフレームについての情報に基づいて、クリティカリティ尺度を計算することと、
送信チャネルの状態に関連する情報に基づいて、閾値を計算することと、
前記計算されたクリティカリティ尺度と前記計算された閾値とを比較することと、
前記比較することの結果に基づいて、前記第１のフレームの冗長コピーを送信することを決定することと、
前記第１のフレームの前記冗長コピーを第２のフレームとともに送信することとを備え、前記第１のフレームは、前記オーディオ信号内で前記第２のフレームに先行する、方法。
【請求項２】
前記クリティカリティ尺度が、前記第１のフレーム上での従属フレームのコーディング従属性の推定である、請求項１に記載の方法。
【請求項３】
前記第１のフレームについての前記情報を使用して適応コードベクトルを生成することを含み、前記クリティカリティ尺度が、前記適応コードベクトルからの情報に基づく、請求項２に記載の方法。
【請求項４】
前記計算されたクリティカリティ尺度が、従属フレームの符号化されたバージョンについての情報に基づく、請求項１に記載の方法。
【請求項５】
前記計算されたクリティカリティ尺度が、従属フレームの符号化されたバージョンの適応コードブック利得値に基づく、請求項１に記載の方法。
【請求項６】
前記計算されたクリティカリティ尺度が、従属フレームの第１の符号化されたバージョンについての情報と、前記従属フレームの第２の符号化されたバージョンについての情報とに基づき、前記第１の符号化されたバージョンが、前記第１のフレームの符号化されたバージョンについての情報を使用して符号化され、前記第２の符号化されたバージョンが、前記第１のフレームの前記符号化されたバージョンについての前記情報を使用しないで符号化される、請求項１に記載の方法。
【請求項７】
前記送信チャネルの前記状態に関連する前記情報が、失われたパケットの数を含み、前記計算された閾値が、前記失われたパケットの数に基づく、請求項１に記載の方法。
【請求項８】
前記送信チャネルの前記状態に関連する前記情報が、受信されたパケットの移動時間に基づくジッタ値を含み、前記計算された閾値が、前記ジッタ値に基づく、請求項１に記載の方法。
【請求項９】
前記方法が、ワイヤレス送信チャネルを介する前記送信チャネルの前記状態に関連する前記情報を受信することを含む、請求項１に記載の方法。
【請求項１０】
前記閾値を前記計算することが、前記計算された閾値に対して最小値を強制することを備える、請求項１に記載の方法。
【請求項１１】
前記閾値を前記計算することが、
前記送信チャネルの前記状態に関連する前記情報に基づく計算された値と境界値とを比較することと、
前記境界値と前記比較することの結果に応答して、前記境界値を前記計算された閾値として選択することとを備える、請求項１に記載の方法。
【請求項１２】
前記方法が、
前記第１のフレームを符号化して前記第１のフレームの主コピーを作成することと、
前記第１のフレームの前記冗長コピーを作成することと、
前記主コピーと前記冗長コピーとを含む符号化された信号を作成することとを備える、請求項１に記載の方法。
【請求項１３】
前記第１のフレームの前記主コピーが、長さＬの第１の代数的コードベクトルの単位パルスの総数Ｐ１の各々に対する位置を示す第１のコード語を含み、前記第１のフレームの前記冗長コピーが、長さＬの第２の代数的コードベクトルの単位パルスの総数Ｐ２の各々に対する位置を示す第２のコード語を含み、Ｐ１がＰ２より大きい、請求項１２に記載の方法。
【請求項１４】
前記符号化された信号を前記作成することが、
前記第１のフレームの前記主コピーを含む第１のパケットを作成することと、
前記決定することに応答して、前記第１のフレームの前記冗長コピーと前記第２のフレームのコピーとを含む第２のパケットを作成することとを備え、
前記符号化された信号が前記第１のパケットおよび前記第２のパケットを含む、請求項１２に記載の方法。
【請求項１５】
前記方法が、前記符号化された信号を前記送信チャネルに送信することを含む、請求項１２に記載の方法。
【請求項１６】
前記方法が、前記第１のフレームと前記第２のフレームとの間の前記オーディオ信号のフレームの総数を示すオフセットの値を決定することを含む、請求項１に記載の方法。
【請求項１７】
前記閾値を前記計算することが、
前記送信チャネルの前記状態に関連する前記情報に基づいて、第１の閾値と第２の閾値とを計算することと、
前記第１のフレームと、前記オーディオ信号内で前記第１のフレームに隣接するフレームとのうちの少なくとも１つからの情報に基づいて、前記第１の閾値と前記第２の閾値とのうちから前記計算された閾値を選択することとを備える、請求項１に記載の方法。
【請求項１８】
オーディオ信号処理のための装置であって、
前記オーディオ信号の第１のフレームについての情報に基づいてクリティカリティ尺度を計算するための手段と、
送信チャネルの状態に関連する情報に基づいて、閾値を計算するための手段と、
前記計算されたクリティカリティ尺度と前記計算された閾値とを比較するための手段と、
前記比較することの結果に基づいて、前記第１のフレームの冗長コピーを送信することを決定するための手段と、
前記第１のフレームの前記冗長コピーを第２のフレームとともに送信するための手段とを備え、前記第１のフレームは、前記オーディオ信号内で前記第２のフレームに先行する、装置。
【請求項１９】
前記クリティカリティ尺度が、前記第１のフレーム上での従属フレームのコーディング従属性の推定である、請求項１８に記載の装置。
【請求項２０】
前記装置が、前記第１のフレームについての前記情報を使用して適応コードベクトルを生成するための手段を含み、前記クリティカリティ尺度が、前記適応コードベクトルからの情報に基づく、請求項１９に記載の装置。
【請求項２１】
前記計算されたクリティカリティ尺度が、従属フレームの符号化されたバージョンについての情報に基づく、請求項１８に記載の装置。
【請求項２２】
前記計算されたクリティカリティ尺度が、従属フレームの符号化されたバージョンの適応コードブック利得値に基づく、請求項１８に記載の装置。
【請求項２３】
前記計算されたクリティカリティ尺度が、従属フレームの第１の符号化されたバージョンについての情報と、前記従属フレームの第２の符号化されたバージョンについての情報とに基づき、
前記第１の符号化されたバージョンが、前記第１のフレームの符号化されたバージョンについての情報を使用して符号化され、
前記第２の符号化されたバージョンが、前記第１のフレームの前記符号化されたバージョンについての前記情報を使用しないで符号化される、請求項１８に記載の装置。
【請求項２４】
前記送信チャネルの前記状態に関連する前記情報が、失われたパケットの数を含み、前記計算された閾値が、前記失われたパケットの数に基づく、請求項１８に記載の装置。
【請求項２５】
前記送信チャネルの前記状態に関連する前記情報が、受信されたパケットの移動時間に基づくジッタ値を含み、前記計算された閾値が、前記ジッタ値に基づく、請求項１８に記載の装置。
【請求項２６】
前記装置が、ワイヤレス送信チャネルを介する前記送信チャネルの前記状態に関連する前記情報を受信するための手段を含む、請求項１８に記載の装置。
【請求項２７】
前記閾値を計算するための前記手段が、前記計算された閾値に対して最小値を強制するように構成される、請求項１８に記載の装置。
【請求項２８】
前記閾値を計算するための前記手段が、
前記送信チャネルの前記状態に関連する前記情報に基づく計算された値と境界値とを比較するための手段と、
前記境界値と前記比較することの結果に応答して、前記計算された閾値として前記境界値を選択するための手段とを備える、請求項１８に記載の装置。
【請求項２９】
前記装置が、
前記第１のフレームを符号化して前記第１のフレームの主コピーを作成するための手段と、
前記第１のフレームの前記冗長コピーを作成するための手段と、
前記主コピーと前記冗長コピーとを含む符号化された信号を作成するための手段とを備える、請求項１８に記載の装置。
【請求項３０】
前記第１のフレームの前記主コピーが、長さＬの第１の代数的コードベクトルの単位パルスの総数Ｐ１の各々に対する位置を示す第１のコード語を含み、前記第１のフレームの前記冗長コピーが、長さＬの第２の代数的コードベクトルの単位パルスの総数Ｐ２の各々に対する位置を示す第２のコード語を含み、Ｐ１がＰ２より大きい、請求項２９に記載の装置。
【請求項３１】
前記符号化された信号を作成するための前記手段が、
前記第１のフレームの前記主コピーを含む第１のパケットを作成するための手段と、
前記決定することに応答して、前記第１のフレームの前記冗長コピーと前記第２のフレームのコピーとを含む第２のパケットを作成するための手段とを備え、
前記符号化された信号が前記第１のパケットおよび前記第２のパケットを含む、請求項２９に記載の装置。
【請求項３２】
前記装置が、前記符号化された信号を前記送信チャネルに送信するための手段を含む、請求項２９に記載の装置。
【請求項３３】
前記装置が、前記第１のフレームと前記第２のフレームとの間の前記オーディオ信号のフレームの総数を示すオフセットの値を決定するための手段を含む、請求項１８に記載の装置。
【請求項３４】
前記閾値を計算するための前記手段が、
前記送信チャネルの前記状態に関連する前記情報に基づいて、第１の閾値と第２の閾値とを計算するための手段と、
前記第１のフレームと、前記オーディオ信号内で前記第１のフレームに隣接するフレームとのうちの少なくとも１つからの情報に基づいて、前記第１の閾値と前記第２の閾値とのうちから前記計算された閾値を選択するための手段とを備える、請求項１８に記載の装置。
【請求項３５】
オーディオ信号処理のための装置であって、
前記オーディオ信号の第１のフレームについての情報に基づいてクリティカリティ尺度を計算するように構成された第１の計算器と、
送信チャネルの状態に関連する情報に基づいて、閾値を計算するように構成された第２の計算器と、
（Ａ）前記計算されたクリティカリティ尺度と前記計算された閾値とを比較することと、（Ｂ）前記比較することの結果に基づいて、前記第１のフレームの冗長コピーを送信することを決定することとを行うように構成されたモード選択器と、
前記第１のフレームの前記冗長コピーを第２のフレームとともに送信するように構成された送信機とを備え、前記第１のフレームは、前記オーディオ信号内で前記第２のフレームに先行する、装置。
【請求項３６】
前記クリティカリティ尺度が、前記第１のフレーム上での従属フレームのコーディング従属性の推定である、請求項３５に記載の装置。
【請求項３７】
前記第１のフレームからの前記情報が励振信号を含み、前記装置が、前記励振信号についての情報を使用して適応コードベクトルを作成するように構成されたベクトル生成器を含み、前記計算されたクリティカリティ尺度が、前記適応コードベクトルに基づく、請求項３６に記載の装置。
【請求項３８】
前記計算されたクリティカリティ尺度が、従属フレームの符号化されたバージョンについての情報に基づく、請求項３５に記載の装置。
【請求項３９】
前記計算されたクリティカリティ尺度が、従属フレームの符号化されたバージョンの適応コードブック利得値に基づく、請求項３５に記載の装置。
【請求項４０】
前記計算されたクリティカリティ尺度が、従属フレームの第１の符号化されたバージョンについての情報と、前記従属フレームの第２の符号化されたバージョンについての情報とに基づき、前記第１の符号化されたバージョンが、前記第１のフレームの符号化されたバージョンについての情報を使用して符号化され、前記第２の符号化されたバージョンが、前記第１のフレームの前記符号化されたバージョンについての前記情報を使用しないで符号化される、請求項３５に記載の装置。
【請求項４１】
前記送信チャネルの前記状態に関連する前記情報が、失われたパケットの数を含み、前記計算された閾値が、前記失われたパケットの数に基づく、請求項３５に記載の装置。
【請求項４２】
前記送信チャネルの前記状態に関連する前記情報が、受信されたパケットの移動時間に基づくジッタ値を含み、前記計算された閾値が、前記ジッタ値に基づく、請求項３５に記載の装置。
【請求項４３】
前記装置が、ワイヤレス送信チャネルを介する前記送信チャネルの前記状態に関連する前記情報を受信するように構成されたチャネルデコーダを含む、請求項３５に記載の装置。
【請求項４４】
前記第２の計算器が、前記計算された閾値に対して最小値を強制するように構成される、請求項３５に記載の装置。
【請求項４５】
前記第２の計算器が、
前記送信チャネルの前記状態に関連する前記情報に基づく計算された値と境界値とを比較するように構成された比較器と、
前記境界値と前記比較することの結果に応答して、前記計算された閾値として前記境界値を選択するように構成された選択器とを備える、請求項３５に記載の装置。
【請求項４６】
前記装置が、
前記第１のフレームを符号化して、（Ａ）前記第１のフレームの主コピーと（Ｂ）前記第１のフレームの前記冗長コピーとを作成するように構成されたフレームエンコーダと、
前記主コピーと前記冗長コピーとを含む符号化された信号を作成するように構成されたチャネルエンコーダとを備える、請求項３５に記載の装置。
【請求項４７】
前記第１のフレームの前記主コピーが、長さＬの第１の代数的コードベクトルの単位パルスの総数Ｐ１の各々に対する位置を示す第１のコード語を含み、前記第１のフレームの前記冗長コピーが、長さＬの第２の代数的コードベクトルの単位パルスの総数Ｐ２の各々に対する位置を示す第２のコード語を含み、Ｐ１がＰ２より大きい、請求項４６に記載の装置。
【請求項４８】
前記チャネルエンコーダが、（Ａ）前記第１のフレームの前記主コピーを含む第１のパケットと（Ｂ）前記第１のフレームの前記冗長コピーと前記第２のフレームのコピーとを含む第２のパケットとを作成するように構成されたパケットアセンブラを備え、前記符号化された信号が前記第１のパケットおよび前記第２のパケットを含む、請求項４６に記載の装置。
【請求項４９】
前記装置が、前記符号化された信号を前記送信チャネルに送信するように構成された無線送信機を含む、請求項４６に記載の装置。
【請求項５０】
前記装置が、前記第１のフレームと前記第２のフレームとの間の前記オーディオ信号のフレームの総数を示すオフセットの値を決定するように構成されたオフセット計算器を含む、請求項３５に記載の装置。
【請求項５１】
前記第２の計算器が、
前記送信チャネルの前記状態に関連する前記情報に基づいて、第１の閾値と第２の閾値とを計算するように構成された閾値計算器と、
前記第１のフレームと、前記オーディオ信号内で前記第１のフレームに隣接するフレームとのうちの少なくとも１つからの情報に基づいて、前記第１の閾値と前記第２の閾値とのうちから前記計算された閾値を選択するように構成された閾値計算器とを備える、請求項３５に記載の装置。
【請求項５２】
有形な特徴を有する非一時的コンピュータ可読データ記憶媒体であって、前記有形な特徴が、前記特徴を読み取る機械に、
前記オーディオ信号の第１のフレームについての情報に基づいてクリティカリティ尺度を計算することと、
送信チャネルの状態に関連する情報に基づいて、閾値を計算することと、
前記計算されたクリティカリティ尺度と前記計算された閾値とを比較することと、
前記比較することの結果に基づいて、前記第１のフレームの冗長コピーを送信することを決定することと、
前記第１のフレームの前記冗長コピーを第２のフレームとともに送信することとを実行させ、前記第１のフレームは、前記オーディオ信号内で前記第２のフレームに先行する、非一時的コンピュータ可読データ記憶媒体。
【手続補正２】
【補正対象書類名】明細書
【補正対象項目名】０１４９
【補正方法】変更
【補正の内容】
【０１４９】
[00181]本明細書で説明した装置の一実装形態の１つまたは複数の要素は、装置が組み込まれているデバイスまたはシステムの別の動作に関係するタスクなど、装置の動作に直接関係しないタスクを実施し、あるいは装置の動作に直接関係しない命令の他のセットを実行するために使用することが可能である。また、そのような装置の実装形態の１つまたは複数の要素は、共通の構造（たとえば、異なる要素に対応するコードの部分を異なる時間に実行するために使用されるプロセッサ、異なる要素に対応するタスクを異なる時間に実施するために実行される命令のセット、あるいは、異なる要素向けの動作を異なる時間に実行する電子デバイスおよび／または光デバイスの構成）を有することが可能である。
以下に本願発明の当初の特許請求の範囲に記載された発明を付記する。
［Ｃ１］
オーディオ信号処理の方法であって、
オーディオ信号内で第２のフレームに先行する第１のフレームに対する前記オーディオ信号の前記第２のフレームのコーディング従属性の推定を計算することと、
送信チャネルの状態に関連する情報に基づいて、閾値を計算することと、
前記計算された推定と前記計算された閾値とを比較することと、
前記比較することの結果に基づいて、前記第１のフレームの冗長コピーを送信することを決定することとを備える、方法。
［Ｃ２］
前記計算された推定が、前記第１のフレームからの情報に基づく、Ｃ１に記載の方法。
［Ｃ３］
前記第１のフレームからの前記情報を使用して適応コードベクトルを生成することを含み、
前記計算された推定が、前記適応コードベクトルからの情報に基づく、Ｃ２に記載の方法。
［Ｃ４］
前記計算された推定が、前記第２のフレームの符号化されたバージョンからの情報に基づく、Ｃ１から３のいずれか一項に記載の方法。
［Ｃ５］
前記計算された推定が、前記第２のフレームの符号化されたバージョンの適応コードブック利得値に基づく、Ｃ１から３のいずれか一項に記載の方法。
［Ｃ６］
前記計算された推定が、前記第２のフレームの第１の符号化されたバージョンからの情報と、前記第２のフレームの第２の符号化されたバージョンからの情報とに基づき、
前記第１の符号化されたバージョンが、前記第１のフレームの符号化されたバージョンからの情報を使用して符号化され、
前記第２の符号化されたバージョンが、前記第１のフレームの前記符号化されたバージョンからの前記情報を使用しないで符号化される、Ｃ１に記載の方法。
［Ｃ７］
前記送信チャネルの前記状態に関連する前記情報が、失われたパケットの数を含み、
前記計算された閾値が、前記失われたパケットの数に基づく、Ｃ１から６のいずれか一項に記載の方法。
［Ｃ８］
前記送信チャネルの前記状態に関連する前記情報が、受信されたパケットの移動時間に基づくジッタ値を含み、
前記計算された閾値が、前記ジッタ値に基づく、Ｃ１から７のいずれか一項に記載の方法。
［Ｃ９］
ワイヤレス送信チャネルを介する前記送信チャネルの前記状態に関連する前記情報を受信することを含む、Ｃ１から８のいずれか一項に記載の方法。
［Ｃ１０］
前記閾値を前記計算することが、前記計算された閾値に対して最小値を強制することを備える、Ｃ１から９のいずれか一項に記載の方法。
［Ｃ１１］
前記閾値を前記計算することが、
前記送信チャネルの前記状態に関連する前記情報に基づく計算された値と境界値とを比較することと、
前記境界値と前記比較することの結果に応答して、前記境界値を前記計算された閾値として選択することとを備える、Ｃ１から９のいずれか一項に記載の方法。
［Ｃ１２］
前記第１のフレームを符号化して前記第１のフレームの主コピーを作成することと、
前記第１のフレームの前記冗長コピーを作成することと、
前記主コピーと前記冗長コピーとを含む符号化された信号を作成することとを備える、Ｃ１から１１のいずれか一項に記載の方法。
［Ｃ１３］
前記第１のフレームの前記主コピーが、長さＬの第１の代数的コードベクトルの単位パルスの総数Ｐ１の各々に対する位置を示す第１のコード語を含み、
前記第１のフレームの前記冗長コピーが、長さＬの第２の代数的コードベクトルの単位パルスの総数Ｐ２の各々に対する位置を示す第２のコード語を含み、
Ｐ１がＰ２より大きい、Ｃ１２に記載の方法。
［Ｃ１４］
前記符号化された信号を前記作成することが、
前記第１のフレームの前記主コピーを含む第１のパケットを作成することと、
前記決定することに応答して、前記第１のフレームの前記冗長コピーと前記第２のフレームのコピーとを含む第２のパケットを作成することとを備え、
前記符号化された信号が前記第１のパケットおよび前記第２のパケットを含む、Ｃ１２または１３に記載の方法。
［Ｃ１５］
前記符号化された信号を前記送信チャネルに送信することを含む、Ｃ１２から１４のいずれか一項に記載の方法。
［Ｃ１６］
前記第１のフレームと前記第２のフレームとの間の前記オーディオ信号のフレームの総数を示すオフセットの値を決定することを含む、Ｃ１から１５のいずれか一項に記載の方法。
［Ｃ１７］
前記閾値を前記計算することが、
前記送信チャネルの前記状態に関連する前記情報に基づいて、第１の閾値と第２の閾値とを計算することと、
前記第１のフレームと、前記オーディオ信号内で前記第１のフレームに隣接するフレームとのうちの少なくとも１つからの情報に基づいて、前記第１の閾値と前記第２の閾値とのうちから前記計算された閾値を選択することとを備える、Ｃ１から１６のいずれか一項に記載の方法。
［Ｃ１８］
オーディオ信号処理のための装置であって、
オーディオ信号内で第２のフレームに先行する第１のフレームに対する前記オーディオ信号の前記第２のフレームのコーディング従属性の推定を計算するための手段と、
送信チャネルの状態に関連する情報に基づいて閾値を計算するための手段と、
前記計算された推定と前記計算された閾値とを比較するための手段と、
前記比較することの結果に基づいて、前記第１のフレームの冗長コピーを送信することを決定するための手段とを備える、装置。
［Ｃ１９］
前記計算された推定が、前記第１のフレームからの情報に基づく、Ｃ１８に記載の装置。
［Ｃ２０］
前記第１のフレームからの前記情報を使用して適応コードベクトルを生成するための手段を含み、
前記計算された推定が、前記適応コードベクトルからの情報に基づく、Ｃ１９に記載の装置。
［Ｃ２１］
前記計算された推定が、前記第２のフレームの符号化されたバージョンからの情報に基づく、Ｃ１８から２０のいずれか一項に記載の装置。
［Ｃ２２］
前記計算された推定が、前記第２のフレームの符号化されたバージョンの適応コードブック利得値に基づく、Ｃ１８から２０のいずれか一項に記載の装置。
［Ｃ２３］
前記計算された推定が、前記第２のフレームの第１の符号化されたバージョンからの情報と、前記第２のフレームの第２の符号化されたバージョンからの情報とに基づき、
前記第１の符号化されたバージョンが、前記第１のフレームの符号化されたバージョンからの情報を使用して符号化され、
前記第２の符号化されたバージョンが、前記第１のフレームの前記符号化されたバージョンからの前記情報を使用しないで符号化される、Ｃ１８に記載の装置。
［Ｃ２４］
前記送信チャネルの前記状態に関連する前記情報が、失われたパケットの数を含み、
前記計算された閾値が、前記失われたパケットの数に基づく、Ｃ１８から２３のいずれか一項に記載の装置。
［Ｃ２５］
前記送信チャネルの前記状態に関連する前記情報が、受信されたパケットの移動時間に基づくジッタ値を含み、
前記計算された閾値が、前記ジッタ値に基づく、Ｃ１８から２４のいずれか一項に記載の装置。
［Ｃ２６］
ワイヤレス送信チャネルを介する前記送信チャネルの前記状態に関連する前記情報を受信するための手段を含む、Ｃ１８から２５のいずれか一項に記載の装置。
［Ｃ２７］
前記閾値を計算するための前記手段が、前記計算された閾値に対して最小値を強制するように構成される、Ｃ１８から２６のいずれか一項に記載の装置。
［Ｃ２８］
前記閾値を計算するための前記手段が、
前記送信チャネルの前記状態に関連する前記情報に基づく計算された値と境界値とを比較するための手段と、
前記境界値と前記比較することの結果に応答して、前記計算された閾値として前記境界値を選択するための手段とを備える、Ｃ１８から２６のいずれか一項に記載の装置。
［Ｃ２９］
前記第１のフレームを符号化して前記第１のフレームの主コピーを作成するための手段と、
前記第１のフレームの前記冗長コピーを作成するための手段と、
前記主コピーと前記冗長コピーとを含む符号化された信号を作成するための手段とを備える、Ｃ１８から２８のいずれか一項に記載の装置。
［Ｃ３０］
前記第１のフレームの前記主コピーが、長さＬの第１の代数的コードベクトルの単位パルスの総数Ｐ１の各々に対する位置を示す第１のコード語を含み、
前記第１のフレームの前記冗長コピーが、長さＬの第２の代数的コードベクトルの単位パルスの総数Ｐ２の各々に対する位置を示す第２のコード語を含み、
Ｐ１がＰ２より大きい、Ｃ２９に記載の装置。
［Ｃ３１］
前記符号化された信号を作成するための前記手段が、
前記第１のフレームの前記主コピーを含む第１のパケットを作成するための手段と、
前記決定することに応答して、前記第１のフレームの前記冗長コピーと前記第２のフレームのコピーとを含む第２のパケットを作成するための手段とを備え、
前記符号化された信号が前記第１のパケットおよび前記第２のパケットを含む、Ｃ２９または３０に記載の装置。
［Ｃ３２］
前記符号化された信号を前記送信チャネルに送信するための手段を含む、Ｃ２９から３１のいずれか一項に記載の装置。
［Ｃ３３］
前記第１のフレームと前記第２のフレームとの間の前記オーディオ信号のフレームの総数を示すオフセットの値を決定するための手段を含む、Ｃ１８から３２のいずれか一項に記載の装置。
［Ｃ３４］
前記閾値を計算するための前記手段が、
前記送信チャネルの前記状態に関連する前記情報に基づいて、第１の閾値と第２の閾値とを計算するための手段と、
前記第１のフレームと、前記オーディオ信号内で前記第１のフレームに隣接するフレームとのうちの少なくとも１つからの情報に基づいて、前記第１の閾値と前記第２の閾値とのうちから前記計算された閾値を選択するための手段とを備える、Ｃ１８から３３のいずれか一項に記載の装置。
［Ｃ３５］
オーディオ信号処理のための装置であって、
オーディオ信号内で第２のフレームに先行する第１のフレームに対する前記オーディオ信号の前記第２のフレームのコーディング従属性の推定を計算するように構成された第１の計算器と、
送信チャネルの状態に関連する情報に基づいて、閾値を計算するように構成された第２の計算器と、
（Ａ）前記計算された推定と前記計算された閾値とを比較することと、（Ｂ）前記比較することの結果に基づいて、前記第１のフレームの冗長コピーを送信することを決定することとを行うように構成されたモード選択器とを備える、装置。
［Ｃ３６］
前記計算された推定が、前記第１のフレームからの情報に基づく、Ｃ３５に記載の装置。
［Ｃ３７］
前記第１のフレームからの前記情報が励振信号を含み、
前記装置が、前記励振信号からの情報を使用して適応コードベクトルを作成するように構成されたベクトル生成器を含み、
前記計算された推定が、前記適応コードベクトルに基づく、Ｃ３６に記載の装置。
［Ｃ３８］
前記計算された推定が、前記第２のフレームの符号化されたバージョンからの情報に基づく、Ｃ３５から３７のいずれか一項に記載の装置。
［Ｃ３９］
前記計算された推定が、前記第２のフレームの符号化されたバージョンの適応コードブック利得値に基づく、Ｃ３５から３７のいずれか一項に記載の装置。
［Ｃ４０］
前記計算された推定が、前記第２のフレームの第１の符号化されたバージョンからの情報と、前記第２のフレームの第２の符号化されたバージョンからの情報とに基づき、
前記第１の符号化されたバージョンが、前記第１のフレームの符号化されたバージョンからの情報を使用して符号化され、
前記第２の符号化されたバージョンが、前記第１のフレームの前記符号化されたバージョンからの前記情報を使用しないで符号化される、Ｃ３５に記載の装置。
［Ｃ４１］
前記送信チャネルの前記状態に関連する前記情報が、失われたパケットの数を含み、
前記計算された閾値が、前記失われたパケットの数に基づく、Ｃ３５から４０のいずれか一項に記載の装置。
［Ｃ４２］
前記送信チャネルの前記状態に関連する前記情報が、受信されたパケットの移動時間に基づくジッタ値を含み、
前記計算された閾値が、前記ジッタ値に基づく、Ｃ３５から４１のいずれか一項に記載の装置。
［Ｃ４３］
ワイヤレス送信チャネルを介する前記送信チャネルの前記状態に関連する前記情報を受信するように構成されたチャネルデコーダを含む、Ｃ３５から４２のいずれか一項に記載の装置。
［Ｃ４４］
前記第２の計算器が、前記計算された閾値に対して最小値を強制するように構成される、Ｃ３５から４３のいずれか一項に記載の装置。
［Ｃ４５］
前記第２の計算器が、
前記送信チャネルの前記状態に関連する前記情報に基づく計算された値と境界値とを比較するように構成された比較器と、
前記境界値と前記比較することの結果に応答して、前記計算された閾値として前記境界値を選択するように構成された選択器とを備える、Ｃ３５から４３のいずれか一項に記載の装置。
［Ｃ４６］
前記第１のフレームを符号化して、（Ａ）前記第１のフレームの主コピーと（Ｂ）前記第１のフレームの前記冗長コピーとを作成するように構成されたフレームエンコーダと、
前記主コピーと前記冗長コピーとを含む符号化された信号を作成するように構成されたチャネルエンコーダとを備える、Ｃ３５から４５のいずれか一項に記載の装置。
［Ｃ４７］
前記第１のフレームの前記主コピーが、長さＬの第１の代数的コードベクトルの単位パルスの総数Ｐ１の各々に対する位置を示す第１のコード語を含み、
前記第１のフレームの前記冗長コピーが、長さＬの第２の代数的コードベクトルの単位パルスの総数Ｐ２の各々に対する位置を示す第２のコード語を含み、
Ｐ１がＰ２より大きい、Ｃ４６に記載の装置。
［Ｃ４８］
前記チャネルエンコーダが、（Ａ）前記第１のフレームの前記主コピーを含む第１のパケットと（Ｂ）前記第１のフレームの前記冗長コピーと前記第２のフレームのコピーとを含む第２のパケットとを作成するように構成されたパケットアセンブラを備え、
前記符号化された信号が前記第１のパケットおよび前記第２のパケットを含む、Ｃ４６または４７に記載の装置。
［Ｃ４９］
前記符号化された信号を前記送信チャネルに送信するように構成された無線送信機を含む、Ｃ４６から４８のいずれか一項に記載の装置。
［Ｃ５０］
前記第１のフレームと前記第２のフレームとの間の前記オーディオ信号のフレームの総数を示すオフセットの値を決定するように構成されたオフセット計算器を含む、Ｃ３５から４９のいずれか一項に記載の装置。
［Ｃ５１］
前記第２の計算器が、
前記送信チャネルの前記状態に関連する前記情報に基づいて、第１の閾値と第２の閾値とを計算するように構成された閾値計算器と、
前記第１のフレームと、前記オーディオ信号内で前記第１のフレームに隣接するフレームとのうちの少なくとも１つからの情報に基づいて、前記第１の閾値と前記第２の閾値とのうちから前記計算された閾値を選択するように構成された閾値計算器とを備える、Ｃ３５から５０のいずれか一項に記載の装置。
［Ｃ５２］
有形な特徴を有する非一時的コンピュータ可読データ記憶媒体であって、前記有形な特徴が、前記特徴を読み取る機械に、Ｃ１から１７のいずれか一項に記載の方法を実行させる、非一時的コンピュータ可読データ記憶媒体。